【手続補正書】
【提出日】令和1年7月25日(2019.7.25)
【手続補正１】
【補正対象書類名】特許請求の範囲
【補正対象項目名】全文
【補正方法】変更
【補正の内容】
【特許請求の範囲】
【請求項１】
記録媒体上に画像を形成するための信号を生成する画像処理装置であって、
前記画像を形成するための濃記録材の使用量を表す第一の記録材量信号と、前記画像の光沢を表す光沢画像データと、を入力する入力手段と、
前記第一の記録材量信号が表す前記濃記録材の使用量の一部を、記録材の使用量の総和が前記光沢画像データに応じた量となるように、前記濃記録材よりも濃度が低い淡記録材の使用量に置き換えた第二の記録材量信号を生成する色分解手段と、を有し、
前記画像の光沢は、前記淡記録材のドットの配置に応じて形成される凹凸により制御されることを特徴とする画像処理装置。
【請求項２】
前記第二の記録材量信号を画像形成装置の各記録走査に対応するパス分解データに変換するパス分解手段と、
前記パス分解データに対するハーフトーン処理を行って、前記画像形成装置の記録走査において前記淡記録材のドットを重畳させるための記録信号を生成するハーフトーン処理手段と、
をさらに有することを特徴とする請求項１に記載された画像処理装置。
【請求項３】
前記濃記録材は高濃度ブラック系記録材であり、前記淡記録材は前記高濃度ブラック系記録材よりも濃度が低い低濃度ブラック系記録材であることを特徴とする請求項１又は請求項２に記載された画像処理装置。
【請求項４】
記録媒体上に画像を形成するための信号を生成する画像処理装置であって、
前記画像を形成するための、基本色記録材と前記基本色記録材と異なる色を表現するための特色記録材との使用量を表す第一の記録材量信号と、前記画像の光沢を表す光沢画像データと、を入力する入力手段と、
前記第一の記録材量信号が表す前記特色記録材の使用量の一部を、記録材の使用量の総和が前記光沢画像データに応じた量となるように、前記特色記録材に対応する複数の基本色記録材の使用量に置き換えた第二の記録材量信号を生成する色分解手段と、を有し、
前記画像の光沢は、前記基本色記録材のドットの配置に応じて形成される凹凸により制御されることを特徴とする画像処理装置。
【請求項５】
前記第二の記録材量信号を画像形成装置の各記録走査に対応するパス分解データに変換するパス分解手段と、
前記パス分解データに対するハーフトーン処理を行って、前記画像形成装置の記録走査において前記複数の基本色記録材のドットを重畳させるための記録信号を生成するハーフトーン処理手段と、
をさらに有することを特徴とする請求項４に記載された画像処理装置。
【請求項６】
前記特色記録材に対応する複数の基本色記録材は、前記特色記録材が表現する色を表現可能な基本色記録材の組み合わせであることを特徴とする請求項４又は請求項５に記載された画像処理装置。
【請求項７】
記録媒体上に画像を形成するための信号を生成する画像処理装置であって、
前記画像を形成するための記録材の使用量を表す記録材量信号と、前記画像の光沢を表す光沢画像データと、を入力する入力手段と、
前記光沢画像データに基づき、クリア材の使用量を表す信号を前記記録材量信号に付加する付加手段と、を有し、
前記画像の光沢は、前記クリア材のドットの配置に応じて形成される凹凸により制御されることを特徴とする画像処理装置。
【請求項８】
前記記録材量信号を画像形成装置の各記録走査に対応するパス分解データに変換するパス分解手段と、
前記パス分解データに対するハーフトーン処理を行って、前記画像形成装置の記録走査において前記記録材のドットと前記クリア材のドットとを重畳させるための記録信号を生成するハーフトーン処理手段と、
をさらに有することを特徴とする請求項７に記載された画像処理装置。
【請求項９】
前記光沢画像データが表す光沢が画像形成装置の光沢再現範囲の上限値以下である場合、前記付加手段は、前記クリア材の使用を表す信号を前記記録材量信号に付加することを特徴とする請求項７又は請求項８に記載された画像処理装置。
【請求項１０】
前記クリア材の使用量は、前記光沢画像データが表す光沢の減少に従って増加することを特徴とする請求項７乃至請求項９のいずれか一項に記載された画像処理装置。
【請求項１１】
前記光沢画像データが表す光沢が画像形成装置の光沢再現範囲の上限値以下である場合、前記使用量の置き換えが行われることを特徴とする請求項１乃至請求項６のいずれか一項に記載された画像処理装置。
【請求項１２】
前記使用量の置き換えにおける置換量は、前記光沢画像データが表す光沢の減少に従って増加することを特徴とする請求項１乃至請求項６のいずれか一項に記載された画像処理装置。
【請求項１３】
前記使用量の置き換えにより、前記第二の記録材量信号の信号値の総和が前記第一の記録材量信号の信号値の総和よりも大きくなることを特徴とする請求項１乃至請求項６のいずれか一項に記載された画像処理装置。
【請求項１４】
請求項１乃至請求項１３のいずれか一項に記載された画像処理装置を含み、
前記記録媒体上に前記画像を形成する形成手段を有することを特徴とする画像形成装置。
【請求項１５】
記録媒体上に画像を形成するための信号を生成する画像処理方法であって、
前記画像を形成するための濃記録材の使用量を表す第一の記録材量信号と、前記画像の光沢を表す光沢画像データと、を入力する入力ステップと、
前記第一の記録材量信号が表す前記濃記録材の使用量の一部を、記録材の使用量の総和が前記光沢画像データに応じた量となるように、前記濃記録材よりも濃度が低い淡記録材の使用量に置き換えた第二の記録材量信号を生成する色分解ステップと、を有し、
前記画像の光沢は、前記淡記録材のドットの配置に応じて形成される凹凸により制御されることを特徴とする画像処理方法。
【請求項１６】
記録媒体上に画像を形成するための信号を生成する画像処理方法であって、
前記画像を形成するための、基本色記録材と前記基本色記録材と異なる色を表現するための特色記録材との使用量を表す第一の記録材量信号と、前記画像の光沢を表す光沢画像データと、を入力する入力ステップと、
前記第一の記録材量信号が表す前記特色記録材の使用量の一部を、記録材の使用量の総和が前記光沢画像データに応じた量となるように、前記特色記録材に対応する複数の基本色記録材の使用量に置き換えた第二の記録材量信号を生成する色分解ステップと、を有し、
前記画像の光沢は、前記基本色記録材のドットの配置に応じて形成される凹凸により制御されることを特徴とする画像処理方法。
【請求項１７】
記録媒体上に画像を形成するための信号を生成する画像処理方法であって、
前記画像を形成するための記録材の使用量を表す記録材量信号と、前記画像の光沢を表す光沢画像データと、を入力する入力ステップと、
前記光沢画像データに基づき、クリア材の使用量を表す信号を前記記録材量信号に付加する付加ステップと、を有し、
前記画像の光沢は、前記クリア材のドットの配置に応じて形成される凹凸により制御されることを特徴とする画像処理方法。
【請求項１８】
コンピュータを請求項１乃至請求項１３のいずれか一項に記載された画像処理装置の各手段として機能させるためのプログラム。
【手続補正２】
【補正対象書類名】明細書
【補正対象項目名】００１２
【補正方法】変更
【補正の内容】
【００１２】
本発明にかかる画像処理は、画像を形成するための濃記録材の使用量を表す第一の記録材量信号と、前記画像の光沢を表す光沢画像データと、を入力し、前記第一の記録材量信号が表す前記濃記録材の使用量の一部を、記録材の使用量の総和が前記光沢画像データに応じた量となるように、前記濃記録材よりも濃度が低い淡記録材の使用量に置き換えた第二の記録材量信号を生成する。前記画像の光沢は、前記淡記録材のドットの配置に応じて形成される凹凸により制御される。